(57)【要約】【課題】自端末の持ち手を判定することができる新規な携帯端末を提供すること。【解決手段】携帯端末（１）は、表示部（１２）と、表示部（１２）への接触領域を検知するタッチセンサ（１１）と、接触領域が、自端末の持ち手の親指の付け根が接触している領域である場合に、接触領域が表示部（１２）の左右のどちらにあるかに応じて持ち手を判定する持ち手判定部（２２）と、を備える。【選択図】図１
2015158735.tif 000002
【特許請求の範囲】
【請求項１】
表示部と、
該表示部上における他の物体が接触している接触領域を検知する検知手段と、
該検知手段が検知した該接触領域を参照して自端末の持ち手を判定する判定手段と、
該判定手段の判定結果に応じて該表示部に表示する画像を変更する表示制御手段と、を備え、
該判定手段は、該接触領域が、該持ち手の親指の付け根が接触している領域であるか否かを判定し、該接触領域が、該付け根が接触している領域である場合に、該接触領域が該表示部の左右のどちらにあるかに応じて該持ち手を判定することを特徴とする携帯端末。
【請求項２】
上記判定手段は、
上記接触領域が、上記表示部の下部に規定された下部領域内に存在し、
上記接触領域が、上記表示部の左右の何れかの端部を含み、
上記表示部の左右方向における上記接触領域の幅が、第一の閾値以上である場合に、
上記接触領域が、上記付け根が接触している領域であると判定することを特徴とする請求項１に記載の携帯端末。
【請求項３】
上記判定手段は、
上記接触領域が、上記表示部の下部に規定された下部領域内に存在し、
上記接触領域が、上記表示部の左右の何れかの端部を含み、
上記表示部の左右方向における上記接触領域の幅が、第一の閾値以上であり、
上記表示部の上下方向における上記接触領域の幅が、第二の閾値以上である場合に、
上記接触領域が、上記付け根が接触している領域であると判定することを特徴とする請求項１に記載の携帯端末。
【請求項４】
上記判定手段は、さらに、
上記接触領域が、上記表示部の下部に規定された下部領域内に存在し、
上記接触領域が、上記表示部の左右の何れかの端部を含み、
上記表示部の左右方向における上記接触領域の幅が、第一の閾値以上であり、
上記接触領域が、上記表示部の下端を含み、
上記表示部の下端における上記接触領域の幅が、第三の閾値以上である場合に、
上記接触領域が、上記付け根が接触している領域であると判定することを特徴とする請求項３に記載の携帯端末。
【請求項５】
表示部と、
該表示部上における他の物体が接触している接触領域を検知する検知手段と、
該検知手段が検知した該接触領域を参照して自端末の持ち手を判定する判定手段と、を備え、
該判定手段は、該接触領域が、該持ち手の親指の付け根が接触している領域であるか否かを判定し、該付け根が接触している領域である場合に、当該接触領域が該表示部の左右のどちらにあるかに応じて該持ち手を判定することを特徴とする携帯端末。
【発明の詳細な説明】
【技術分野】
【０００１】
本発明は、携帯端末に関し、特に、自端末の持ち手を判定することができる携帯端末に関する。
【背景技術】
【０００２】
近年、自端末の持ち手を判定することができる携帯端末が開発されている。
【０００３】
特許文献１には、タッチパネルが接触検知ラインにおける接触を検知した場合に、両側部に埋設された接触センサが検知した接触検知領域の大きさからユーザの利き手を判断し、利き手に応じた画像を表示する携帯端末が記載されている。
【０００４】
特許文献２には、加速度センサが、ユーザが自装置を回転させて上下逆さまに持ち直した際の回転方向を検知した場合に、タッチパネルが検知するユーザの指の位置から左右何れの手の指で保持しているかを判別し、保持している手に応じて覗き見されにくい画面を表示する情報処理装置が記載されている。
【０００５】
特許文献３には、地磁気センサおよび加速度センサが検出した筐体の傾きから持ち手を推測し、持ち手に応じて入力しやすい文字入力領域を提示する文字入力装置が記載されている。
【先行技術文献】
【特許文献】
【０００６】
【特許文献１】特開２０１２−１９９８８８号公報（２０１２年１０月１８日公開）
【特許文献２】特開２０１３−１２２７１１号公報（２０１３年６月２０日公開）
【特許文献３】特開２０１２−２５６１５３号公報（２０１２年１２月２７日公開）
【発明の概要】
【発明が解決しようとする課題】
【０００７】
しかしながら、特許文献１〜３に記載の携帯端末では、ユーザの姿勢や、携帯端末の持ち方によっては、自端末の持ち手を正確に判定することができない場合がある。そのため、自端末の持ち手を判定するための新規な技術が求められている。
【０００８】
本発明は、上記問題に鑑みてなされたものであり、自端末の持ち手を判定することができる新規な携帯端末を提供することを主たる目的とする。
【課題を解決するための手段】
【０００９】
上記の課題を解決するために、本発明の一態様に係る携帯端末は、表示部と、該表示部上における他の物体が接触している接触領域を検知する検知手段と、該検知手段が検知した該接触領域を参照して自端末の持ち手を判定する判定手段と、該判定手段の判定結果に応じて該表示部に表示する画像を変更する表示制御手段と、を備え、該判定手段は、該接触領域が、該持ち手の親指の付け根が接触している領域であるか否かを判定し、該接触領域が、該付け根が接触している領域である場合に、該接触領域が該表示部の左右のどちらにあるかに応じて該持ち手を判定する。
【発明の効果】
【００１０】
本発明の一態様によれば、自端末の持ち手を判定することができる新規な携帯端末を提供することができる。
【図面の簡単な説明】
【００１１】
【図１】本発明の一実施形態に係る携帯端末の概略構成を示すブロック図である。
【図２】本発明の一実施形態における処理の流れの一例を示すフローチャートである。
【図３】本発明の一実施形態における処理の流れの一例を説明する正面図である。
【図４】本発明の他の実施形態における処理の流れの一例を示すフローチャートである。
【図５】本発明の他の実施形態における処理の流れの一例を説明する正面図である。
【図６】本発明のさらに他の実施形態における処理の流れの一例を示すフローチャートである。
【図７】本発明のさらに他の実施形態における処理の流れの一例を説明する正面図である。
【発明を実施するための形態】
【００１２】
以下、図面に基づいて本発明の実施形態を詳細に説明する。本発明に係る携帯端末は、ユーザが把持可能な電子機器であればよく、例えば、スマートフォンが挙げられるが、これに限定されない。
【００１３】
〔実施形態１〕
本発明の一実施形態（実施形態１）について、図面に基づいて説明すれば、以下のとおりである。図１は、本実施形態に係る携帯端末１の概略構成を示すブロック図である。また、図３は本実施形態における処理の流れの一例を説明する正面図である。携帯端末１は、図１に示すように、タッチパネル１０および制御部２０を備えている。
【００１４】
タッチパネル１０は、画像を表示するための表示部１２を備えている。表示部１２はバックライトを有した透過型の液晶パネルによって実現できるが、これに限定されず、有機ＥＬディスプレイなど、他のディスプレイによって実現してもよい。タッチパネル１０は、また、タッチパネル１０（表示部１２）上における他の物体（ユーザの指など）が接触している接触領域３０を検知するタッチセンサ（検知手段）１１を備えている。
【００１５】
図３の（ａ）は、表示部１２に画像が表示され、ユーザが携帯端末１を握ってタッチパネル１０を操作している状態を示す図である。また、図３の（ｂ）は、図３の（ａ）におけるユーザの手および指を省略した図である。また、図３の（ｃ）〜（ｆ）では、タッチセンサ１１が検出した接触の領域を、接触領域３０として示し、接触領域３０の表示部１２の左右方向における幅を、タッチ幅ｄｘとして示す。
【００１６】
制御部２０は、携帯端末１の各構成を統括的に制御するものであり、具体的には、ＣＰＵ（central processing unit）などによって実現することができる。また、制御部２０は、タッチ操作判定部２１、持ち手判定部（判定手段）２２、および表示制御部（表示制御手段）２３としても機能する。
【００１７】
タッチ操作判定部２１は、タッチセンサ１１が検知した接触領域３０を示すセンサ情報を生成する。また、タッチ操作判定部２１は、タッチパネル１０（表示部１２）に他の物体が接触する「タッチダウン」、タッチパネル１０（表示部１２）において他の物体が接触している領域が変化する「タッチムーブ」、およびタッチパネル１０（表示部１２）において他の物体が接触している領域がなくなる「タッチアップ」をそれぞれ検出する。
【００１８】
持ち手判定部２２は、上記センサ情報が示す接触領域３０を参照して携帯端末１の持ち手を判定する。詳細には、持ち手判定部２２は、接触領域３０が、携帯端末１の持ち手の親指の付け根が接触している領域であるか否かを判定し、接触領域３０が、当該付け根が接触している領域である場合に、接触領域３０がタッチパネル１０（表示部１２）の左右のどちらにあるかに応じて持ち手を判定する。
【００１９】
表示制御部２３は、持ち手判定部２２の判定結果に応じて、表示部１２に表示する画像を変更する。詳細には、表示制御部２３は、表示部１２において、持ち手判定部２２が判定した持ち手側から遠い領域に表示されている画像を、当該持ち手側に近づけるように、表示部１２に表示する画像を変更する。
【００２０】
（処理の流れ）
続いて、本実施形態に係る携帯端末１の処理の流れについて説明する。図２は、本実施形態に係る携帯端末１の処理の流れを示すフローチャートである。
【００２１】
各ステップの説明の前に、持ち手の親指の付け根が接触する領域について説明する。図３の（ａ）に示すように、ユーザが片手で携帯端末１を操作する場合、携帯端末１の下側を握り、持ち手の親指を使ってタッチパネル１０を操作することが多い。そして、持ち手の親指から離れた位置に表示されているキーをユーザがタッチ操作しようとした場合、持ち手の親指を伸ばそうとするため、図３の（ｄ）に示すように、タッチパネル１０（表示部１２）の下部に持ち手の親指の付け根が触れる。また、持ち手の親指の付け根が触れる領域は、タッチパネル１０（表示部１２）における持ち手側（右手なら右側、左手なら左側）の端部を含んでおり、左右方向において、ある程度の幅を有している。本実施形態は、この持ち手の親指から離れた位置に表示されているキーをユーザがタッチ操作しようとしたときに持ち手の親指の付け根が接触する領域を検出することにより、持ち手を判定するものである。
【００２２】
すなわち、本実施形態では、持ち手判定部２２は、接触領域３０が、タッチパネル１０（表示部１２）の下部に規定された持ち手検出領域（下部領域）Ａ内に存在し、接触領域３０が、タッチパネル１０（表示部１２）の左右の何れかの端部を含み、タッチパネル１０（表示部１２）の左右方向における接触領域３０の幅が、閾値（第一の閾値）ａ以上である場合に、接触領域３０が、持ち手の親指の付け根が接触している領域であると判定する。
【００２３】
なお、持ち手検出領域Ａは、タッチパネル１０（表示部１２）の下部に規定されていればよく、特にその上下方向の幅は限定されないが、例えば、タッチパネル１０（表示部１２）の略半分の幅とすることができる。
【００２４】
まず、ステップＳ１において、タッチ操作判定部２１は、タッチダウンを検出するとともに、タッチセンサ１１が検知した接触領域３０を示すセンサ情報を生成する。
【００２５】
次に、ステップＳ２において、持ち手判定部２２は、ステップＳ１において生成されたセンサ情報を参照して、接触領域３０が持ち手検出領域Ａ内であるか否かを判定する。持ち手判定部２２が、接触領域３０が持ち手検出領域Ａ内であると判定した場合（ステップＳ２：ＹＥＳ）、ステップＳ３に進む。
【００２６】
続いて、ステップＳ３において、持ち手判定部２２は、接触領域３０にタッチパネル１０（表示部１２）の左右何れかの端部が含まれているか否かを判定する。持ち手判定部２２が、接触領域３０にタッチパネル１０（表示部１２）の左右何れかの端部が含まれていると判定した場合（ステップＳ３：ＹＥＳ）、ステップＳ４に進む。
【００２７】
続いて、ステップＳ４において、持ち手判定部２２は、ユーザがタッチムーブしているか（タッチ操作判定部２１がタッチムーブを検出したか）否かを判定する。持ち手判定部２２が、ユーザがタッチムーブしていると判定した場合（ステップＳ４：ＹＥＳ）、ステップＳ５に進む。
【００２８】
続いて、ステップＳ５において、持ち手判定部２２は、タッチ幅ｄｘが閾値ａを超えているか否かを判定する。持ち手判定部２２が、タッチ幅ｄｘが閾値ａを超えていると判定した場合（ステップＳ５：ＹＥＳ）、持ち手判定部２２は、接触領域３０が、持ち手の親指の付け根が接触している領域であると判定する。そして、ステップＳ６に進む。
【００２９】
ステップＳ６において、持ち手判定部２２は、接触領域３０が、タッチパネル１０（表示部１２）の右側にあれば持ち手は右手と、接触領域３０がタッチパネル１０（表示部１２）の左側にあれば持ち手は左手と判定する。
【００３０】
続いて、ステップＳ７において、表示制御部２３は、持ち手判定部２２の判定結果に応じて、表示部１２に表示する画像を変更する。表示制御部２３は、例えば、ユーザの操作性が向上するように表示部１２に表示する画像を変更することができる。すなわち、図３の（ｅ）に示すように、持ち手の親指から近い位置のテンキー３、６、９等の画像を縮小し、持ち手の親指から遠い位置のテンキー１、４、７等の画像を拡大した画像に変更する。また、別の例として、図３の（ｆ）に示すように、表示制御部２３は、表示する画像全体を右方向に縮小した画像に変更する。このように、持ち手側から遠い領域に表示されている画像を、当該持ち手側に近づけるように、表示部１２に表示する画像を変更することにより、ユーザの操作性を向上させることができる。
【００３１】
なお、ステップＳ４において、持ち手判定部２２が、ユーザがタッチムーブしていないと判定した場合（ステップＳ４：ＮＯ）、ステップＳ８において、持ち手判定部２２は、ユーザがタッチアップしたか（タッチ操作判定部２１がタッチアップを検出したか）否かを判定してもよい。
【００３２】
そして、ステップＳ５において、タッチ操作判定部２１が、タッチ幅ｄｘは閾値ａを超えていないと判定した場合（ステップＳ５：ＮＯ）、および、ステップＳ８において、持ち手判定部２２が、ユーザがタッチアップしていないと判定した場合（ステップＳ８：ＮＯ）、ステップＳ４に戻る。
【００３３】
また、ステップＳ２において、持ち手判定部２２が、接触領域３０は持ち手検出領域Ａ内ではないと判定した場合（ステップＳ２：ＮＯ）、ステップＳ３において、持ち手判定部２２が、接触領域３０はタッチパネル１０（表示部１２）の左右何れかの端部を含んでいないと判定した場合（ステップＳ３：ＮＯ）、ステップＳ８において、持ち手判定部２２が、ユーザがタッチアップしたと判定した場合（ステップＳ８：ＹＥＳ）、接触領域３０は、持ち手の親指の付け根が接触した領域ではないとして、図２に示す処理は終了する。なお、この場合、ステップＳ１においてタッチ操作判定部２１が検出したタッチダウンは、携帯端末１を操作するためのユーザの操作であるとして、制御部２０は、当該操作に応じた処理を実行してもよい。
【００３４】
なお、ステップＳ４は省略してもよいが、本実施形態のように、タッチムーブしていることを、持ち手判定の条件の一つとしてもよい。すなわち、ユーザが持ち手の親指を用いてタッチパネル１０（表示部１２）上の離れた位置をタッチする場合、親指の付け根が接触する領域も徐々に変化する（例えば、図３の（ｃ）に示す接触領域３０から（ｄ）に示す接触領域３０に変化する）。そのため、タッチムーブしている（接触領域３０が変化している）ことを、持ち手の判定をするための必要条件とすることにより、さらに正確に持ち手を判定することができる。
【００３５】
〔実施形態２〕
本発明の他の実施形態（実施形態２）について、図４および図５に基づいて説明すれば、以下のとおりである。なお、説明の便宜上、前記実施形態にて説明した部材と同じ機能を有する部材については、同じ符号を付記し、その説明を省略する。
【００３６】
図４は、本実施形態における処理の流れの一例を示すフローチャートである。また、図５は、本実施形態における処理の流れの一例を説明する正面図である。図５の（ａ）〜（ｅ）は、図３の（ｂ）〜（ｆ）に対応する。図５の（ｂ）（ｃ）では、タッチパネル１０（表示部１２）の上下方向における接触領域３０のタッチ幅ｄｙを示している。図５の（ｂ）（ｃ）に示すように、タッチ幅ｄｙはある程度の長さになる。
【００３７】
図４に示すように、ステップＳ１〜Ｓ８は、実施形態１と同様であり、ステップＳ４とステップＳ５との間に、ステップＳ１１が挿入されていることが、本実施形態の特徴である。
【００３８】
すなわち、ステップＳ４において、持ち手判定部２２が、ユーザがタッチムーブしていると判定した場合（ステップＳ４：ＹＥＳ）、ステップＳ１１において、持ち手判定部２２は、タッチ幅ｄｙが閾値（第二の閾値）ｂを超えているか否かを判定する。そして、持ち手判定部２２が、タッチ幅ｄｙが閾値ｂを超えていると判定した場合（ステップＳ１１：ＹＥＳ）、ステップＳ５に進み、持ち手判定部２２が、タッチ幅ｄｙが閾値ｂを超えていないと判定した場合（ステップＳ１１：ＮＯ）、ステップＳ４に戻る。
【００３９】
このように、実施形態１における判定基準に加えて、さらに、タッチ幅ｄｙが閾値ｂを超えていることを、接触領域３０が、持ち手の親指の付け根が接触する領域であると判定するための判定基準とすることにより、当該判定をより正確に行うことができる。
【００４０】
〔実施形態３〕
本発明のさらに他の実施形態（実施形態３）について、図６および図７に基づいて説明すれば、以下のとおりである。なお、説明の便宜上、前記実施形態にて説明した部材と同じ機能を有する部材については、同じ符号を付記し、その説明を省略する。
【００４１】
図６は、本実施形態における処理の流れの一例を示すフローチャートである。また、図７は、本実施形態における処理の流れの一例を説明する正面図である。図７の（ａ）〜（ｅ）は、図５の（ａ）〜（ｅ）に対応する。図７の（ｃ）〜（ｅ）では、接触領域３０が、図５の（ｃ）〜（ｅ）に比べ、下にずれた様子を示している。また、図７の（ｂ）（ｃ）では、タッチパネル１０（表示部１２）の左右方向における接触領域３０のタッチ幅ｄｘ１、および、タッチパネル１０（表示部１２）の下端における接触領域３０のタッチ幅ｄｘ２を示している。図７の（ｂ）（ｃ）に示すように、接触領域３０が下にずれている場合、タッチ幅ｄｙは、図５の（ｂ）（ｃ）に比べて短くなる。しかし、接触領域３０は、タッチパネル１０（表示部１２）の下端を含み、タッチ幅ｄｘ２はある程度の長さになる。
【００４２】
図６に示すように、ステップＳ１〜Ｓ４、Ｓ６〜Ｓ８、Ｓ１１は、実施形態２と同様であり、ステップＳ５の替わりにステップＳ２２が実行され、ステップＳ１１とステップＳ２２との間に、ステップＳ２１が挿入されていることが、本実施形態の特徴である。
【００４３】
すなわち、ステップＳ１１において、持ち手判定部２２が、タッチ幅ｄｙが閾値ｂを超えていると判定した場合（ステップＳ１１：ＹＥＳ）、ステップＳ２１において、持ち手判定部２２は、タッチ幅ｄｘ２が閾値（第三の閾値）ａ２を超えているか否かを判定する。そして、持ち手判定部２２が、タッチ幅ｄｘ２が閾値ａ２を超えていると判定した場合（ステップＳ２１：ＹＥＳ）、ステップＳ２２に進み、持ち手判定部２２が、タッチ幅ｄｘ２が閾値ｃを超えていないと判定した場合（ステップＳ２１：ＮＯ）、ステップＳ４に戻る。
【００４４】
そして、ステップＳ２２では、持ち手判定部２２は、タッチ幅ｄｘ１が閾値ａを超えているか否かを判定する。持ち手判定部２２が、タッチ幅ｄｘ１が閾値ａを超えていると判定した場合（ステップＳ２２：ＹＥＳ）、持ち手判定部２２は、接触領域３０が、持ち手の親指の付け根が接触している領域であると判定する。そして、ステップＳ６に進む。
【００４５】
このように、実施形態２における判定基準において、さらに、タッチ幅ｄｙが閾値ｂを超えていない場合でも、接触領域３０がタッチパネル１０（表示部１２）の下端を含み、タッチパネル１０（表示部１２）の下端における接触領域３０のタッチ幅ｄｘ２が閾値ｃを超えていれば、接触領域３０を、持ち手の親指の付け根が接触する領域であると判定することにより、当該判定をより正確に行うことができる。
【００４６】
〔ソフトウェアによる実現例〕
携帯端末１の制御部２０は、集積回路（ＩＣチップ）等に形成された論理回路（ハードウェア）によって実現してもよいし、ＣＰＵ（Central Processing Unit）を用いてソフトウェアによって実現してもよい。
【００４７】
後者の場合、携帯端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００４８】
〔まとめ〕
本発明の態様１に係る携帯端末（１）は、表示部（１２）と、該表示部上における他の物体が接触している接触領域を検知する検知手段（タッチセンサ１１）と、該検知手段が検知した該接触領域（３０）を参照して自端末（１）の持ち手を判定する判定手段（持ち手判定部２２）と、該判定手段の判定結果に応じて該表示部に表示する画像を変更する表示制御手段（表示制御部２３）と、を備え、該判定手段は、該接触領域が、該持ち手の親指の付け根が接触している領域であるか否かを判定し、該接触領域が、該付け根が接触している領域である場合に、該接触領域が該表示部の左右のどちらにあるかに応じて該持ち手を判定する。
【００４９】
携帯端末を片手で持ち、持ち手の親指から離れた部位を親指でタッチ操作しようとしたとき、携帯端末の持ち手の親指の付け根は、例えば、図３の（ａ）に典型的に示されるように、持ち手が右手であれば表示部の右下部に、持ち手が左手であれば表示部の左下部に接触する。
【００５０】
上記の構成によれば、判定手段は、検知手段が検知した接触領域が、持ち手の親指の付け根が接触している領域であるか否かを判定する。そして、当該接触領域が、持ち手の親指の付け根が接触している領域である場合、換言すれば、検知手段が、持ち手の親指の付け根が接触している領域を検知した場合、判定手段は、検知した接触領域が表示部の右側にあれば持ち手は右手と、検知した接触領域が表示部の左側にあれば持ち手は左手と判定することができる。このように、上記の構成によれば、自端末の持ち手を判定することができる新規な携帯端末を提供することができる。
【００５１】
そして、上記の構成によれば、表示制御手段が、判定手段が判定した持ち手に応じて、表示部に表示する画像を変更することにより、携帯端末の持ち手に応じた表示を行うことができる。
【００５２】
本発明の態様２に係る携帯端末では、上記態様１において、上記判定手段は、上記接触領域が、上記表示部の下部に規定された下部領域（持ち手検出領域Ａ）内に存在し、上記接触領域が、上記表示部の左右の何れかの端部を含み、上記表示部の左右方向における上記接触領域の幅（タッチ幅ｄｘ）が、第一の閾値（閾値ａ）以上である場合に、上記接触領域が、上記付け根が接触している領域であると判定するものであってもよい。
【００５３】
携帯端末を片手で持ち、持ち手の親指から離れた部位を親指でタッチ操作しようとしたとき、携帯端末の持ち手の親指の付け根が接触する領域は、更に詳細には、表示部の下部領域であり、表示部における左右何れかの端部を含み、表示部の左右方向における当該領域の幅は、ある程度の長さとなる。
【００５４】
したがって、上記構成によれば、検知手段が検知した接触領域が、（ｉ）下部領域内に存在し、（ｉｉ）表示部の左右何れかの端部を含み、（ｉｉ）表示部の左右方向における当該接触領域の幅が閾値を超えている場合に、当該接触領域を、持ち手の親指の付け根が接触している領域であると判定することにより、当該接触領域が、持ち手の親指の付け根が接触している領域であるか否かの判定をより正確に行うことができる。
【００５５】
さらに、上記の構成によれば、持ち手の側とは反対側の部位を持ち手の親指でタッチする場合のように操作が困難な状態において、持ち手の判定結果に応じて表示の画像を変更することができるため、操作が困難な状態を解消し、ユーザの操作性を向上させることができる。
【００５６】
本発明の態様３に係る携帯端末では、上記態様１において、上記判定手段は、上記接触領域が、上記表示部の下部に規定された下部領域内に存在し、上記接触領域が、上記表示部の左右の何れかの端部を含み、上記表示部の左右方向における上記接触領域の幅（タッチ幅ｄｘ、タッチ幅ｄｘ１）が、第一の閾値以上であり、上記表示部の上下方向における上記接触領域の幅（タッチ幅ｄｙ）が、第二の閾値（閾値ｂ）以上である場合に、上記接触領域が、上記付け根が接触している領域であると判定するものであってもよい。
【００５７】
上記の構成によれば、態様２において説明した（ｉ）〜（ｉｉｉ）の基準に加えて、さらに、（ｉｖ）表示部の上下方向における接触領域の幅が閾値を超えているか否かを判定することにより、当該接触領域が、持ち手の親指の付け根が接触している領域であるか否かの判定をより正確に行うことができる。
【００５８】
本発明の態様４に係る携帯端末では、上記態様３において、上記判定手段は、さらに、上記接触領域が、上記表示部の下部に規定された下部領域内に存在し、上記接触領域が、上記表示部の左右の何れかの端部を含み、上記表示部の左右方向における上記接触領域の幅（タッチ幅ｄｘ１）が、第一の閾値以上であり、上記接触領域が、上記表示部の下端を含み、上記表示部の下端における上記接触領域の幅（タッチ幅ｄｘ２）が、第三の閾値（閾値ａ２）以上である場合に、上記接触領域が、上記付け根が接触している領域であると判定するものであってもよい。
【００５９】
持ち手の側とは反対側の部位を持ち手の親指でタッチした場合であっても、表示部の上下方向における、当該親指の付け根が接触する領域の幅は、親指の位置によっては短くなる場合がある。詳細には、親指の付け根が、表示部の下端よりも下に接触している場合、表示部の上下方向における、当該親指の付け根が接触する領域の幅は、短くなる。しかしながら、この場合、接触領域が、表示部の下端を含み、表示部の下端における接触領域の幅が、ある程度の長さになるため、態様３における（ｉｖ）の基準が満たされない場合でも、（ｖ）接触領域が、表示部の下端を含み、（ｖｉ）表示部の下端における接触領域の幅が、閾値を超えていれば、当該接触領域を、持ち手の親指の付け根が接触している領域であると判定することにより、当該接触領域が、持ち手の親指の付け根が接触している領域であるか否かの判定をより正確に行うことができる。
【００６０】
本発明の態様５に係る携帯端末は、上記態様１において、上記判定手段は、上記接触領域が、上記表示部の下部に規定された下部領域内に存在し、上記接触領域が、上記表示部の左右の何れかの端部を含み、上記表示部の左右方向における上記接触領域の幅が変化して第一の閾値以上となった場合に、上記接触領域が、上記付け根が接触している領域であると判定するものであってもよい。
【００６１】
本発明の態様６に係る携帯端末では、上記態様１において、上記判定手段は、上記接触領域が、上記表示部の下部に規定された下部領域内に存在し、上記接触領域が、上記表示部の左右の何れかの端部を含み、上記表示部の左右方向における上記接触領域の幅が変化して第一の閾値以上となり、上記表示部の上下方向における上記接触領域の幅が、第二の閾値以上である場合に、上記接触領域が、上記付け根が接触している領域であると判定するものであってもよい。
【００６２】
本発明の態様７に係る携帯端末では、上記態様６において、上記判定手段は、さらに、上記接触領域が、上記表示部の下部に規定された下部領域内に存在し、上記接触領域が、上記表示部の左右の何れかの端部を含み、上記表示部の左右方向における上記接触領域の幅が、第一の閾値以上であり、上記接触領域が、上記表示部の下端を含み、上記表示部の下端における上記接触領域の幅が、第三の閾値以上である場合に、上記接触領域が、上記付け根が接触している領域であると判定するものであってもよい。
【００６３】
上記の構成によれば、持ち手判定手段が、上記表示部の左右方向における上記接触領域の幅が変化して第一の閾値以上となったときに、当該接触領域が、持ち手の親指の付け根が接触している領域であると判定することにより、持ち手の親指の付け根が接触している領域であるか否かの判定をより正確に行うことができる。
【００６４】
本発明の態様８に係る携帯端末は、上記態様１〜７において、表示制御手段が、表示部において、持ち手判定手段が判定した持ち手側から遠い領域に表示されている画像を、当該持ち手側に近づけるように、表示部に表示する画像を変更するものであってもよい。
【００６５】
上記の構成によれば、表示制御手段は、持ち手が右手の場合には、右側から遠い領域に表示されている画像を右側に近づけ、持ち手が左手の場合には、左側から遠い領域に表示されている画像を、左側に近づける。これにより、ユーザにおける操作性をより向上させることができる。
【００６６】
本発明の態様９に係る携帯端末は、表示部と、該表示部上における他の物体が接触している接触領域を検知する検知手段と、該検知手段が検知した該接触領域を参照して自端末の持ち手を判定する判定手段と、を備え、該判定手段は、該接触領域が、該持ち手の親指の付け根が接触している領域であるか否かを判定し、該付け根が接触している領域である場合に、当該接触領域が該表示部の左右のどちらにあるかに応じて該持ち手を判定する。
【００６７】
上記の構成によれば、態様１と同様、自端末の持ち手を判定することができる新規な携帯端末を提供することができる。
【００６８】
本発明の各態様に係る携帯端末は、コンピュータによって実現してもよく、この場合には、コンピュータを上記携帯端末が備える各手段として動作させることにより上記携帯端末をコンピュータにて実現させる携帯端末の制御プログラム、およびそれを記録したコンピュータ読み取り可能な記録媒体も、本発明の範疇に入る。
【００６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７０】
本発明は、携帯端末の製造分野において利用することができる。
【符号の説明】
【００７１】
１    携帯端末
１０  タッチパネル
１１  タッチセンサ（検知手段）
１２  表示部
２０  制御部
２１  タッチ操作判定部
２２  持ち手判定部（判定手段）
２３  表示制御部（表示制御手段）
３０  接触領域
【図１】
2015158735.tif 000003
【図２】
2015158735.tif 000004
【図３】
2015158735.tif 000005
【図４】
2015158735.tif 000006
【図５】
2015158735.tif 000007
【図６】
2015158735.tif 000008
【図７】
2015158735.tif 000009